(57)【特許請求の範囲】
【請求項１】
引出本体と、この引出本体をスライドさせるスライド部材を介して引出本体を支持する支持部材とを備え、前記引出本体にコンセントなどの配線具を取り付けるための配線具取付部および、当該配線具から延びる配線を外部へ導き出すための切欠部とを設けてなる引出家具であって、
前記切欠部における引出本体の外部位置に、当該切欠部のスライド範囲に渡って開口する開口部を設けるとともに、前記引出本体のスライド長さに対応した配線を保持する配線保持部を設けてなり、
配線保持部を引出本体の側方に設けた引出家具。
【請求項２】
引出本体と、この引出本体をスライドさせるスライド部材を介して引出本体を支持する支持部材とを備え、前記引出本体にコンセントなどの配線具を取り付けるための配線具取付部および、当該配線具から延びる配線を外部へ導き出すための切欠部とを設けてなる引出家具であって、
前記切欠部における引出本体の外部位置に、当該切欠部のスライド範囲に渡って開口する開口部を設けるとともに、前記引出本体のスライド長さに対応した配線を保持する配線保持部を設けてなり、
支持部材を、壁部で囲まれた中空の箱状に構成し、配線保持部を前記支持部材の少なくとも一部を構成するように設けるとともに、開口を前記支持部材の壁部に設けた引出家具。
【請求項３】
引出本体と、この引出本体をスライドさせるスライド部材を介して引出本体を支持する支持部材とを備え、前記引出本体にコンセントなどの配線具を取り付けるための配線具取付部および、当該配線具から延びる配線を外部へ導き出すための切欠部とを設けてなる引出家具であって、
前記切欠部における引出本体の外部位置に、当該切欠部のスライド範囲に渡って開口する開口部を設けるとともに、前記引出本体のスライド長さに対応した配線を保持する配線保持部を設けてなり、
配線具取付部を、電源コンセントを取り付ける電源コンセント取付部として構成し、当該電源コンセント取付部を引出本体内の左右どちらか一方の側部近傍に設け、さらに、情報コンセントを取り付けるための情報コンセント取付部を、配線保持部を設けた側と反対側に設けた引出家具。
【請求項４】
引出本体と、この引出本体をスライドさせるスライド部材を介して引出本体を支持する支持部材とを備え、前記引出本体にコンセントなどの配線具を取り付けるための配線具取付部および、当該配線具から延びる配線を外部へ導き出すための切欠部とを設けてなる引出家具であって、
前記切欠部における引出本体の外部位置に、当該切欠部のスライド範囲に渡って開口する開口部を設けるとともに、前記引出本体のスライド長さに対応した配線を保持する配線保持部を設けてなり、
配線具取付部を、引出本体内の側部前方に設けた引出家具。
【請求項５】
支持部材を、壁部で囲まれた中空の箱状に構成し、配線保持部を前記支持部材の少なくとも一部を構成するように設けるとともに、開口を前記支持部材の壁部に設けた請求項１記載の引出家具。
【請求項６】
配線具取付部を、電源コンセントを取り付ける電源コンセント取付部として構成し、当該電源コンセント取付部を引出本体内の左右どちらか一方の側部近傍に設け、さらに、情報コンセントを取り付けるための情報コンセント取付部を、配線保持部を設けた側と反対側に設けた請求項１、２または５記載の引出家具。
【請求項７】
配線具取付部を、引出本体内の側部前方に設けた請求項１、２、３、５または６記載の引出家具。
【発明の詳細な説明】
【０００１】
【発明の属する技術分野】
本発明は、ＯＡ機器等を利用するのに好適な引出を備えた引出家具に関するものである。
【０００２】
【従来の技術】
近時、例えば会議などで使用するテーブルには、テーブルに着座した者それぞれがノート型パーソナルコンピュータ等のＯＡ機器を使用できるように、内部に電源コンセントや情報コンセントなどの配線具類を取り付けられるようにした引出本体とこの引出本体をスライドさせるスライド部材を備えた引出を設けたものが見られる。そして、パソコンを使用するときには、この引出本体をスライドさせて開けて、その中に設けた配線具にパソコンの電源プラグを差し込み、またモジュラジャックを情報コンセントに差し込んで使用するようにしている。このような引出は、内部に取り付けた配線具類の配線を引出本体の外側に導き出すために引出本体の側壁部や底面や後壁部などに切欠部を設けて、この切欠部やから電源コンセントや情報コンセントの配線を引出本体の外部に導き出し、テーブルが置かれている部屋の壁や床などに設置されている電源コンセントや情報コンセントなどに接続して使用するようにしている。
【０００３】
【発明が解決しようとする課題】
ところが、以上述べたように、引出本体の側壁部から配線を外部に引き出すようにしたものでは、引出本体をスライドさせる際に配線が、引出本体の側壁部近傍に設けられているスライド部材に挟さみ込まれる可能性がある。一方、底面や後壁部から配線を外部に導き出すようにしたものでは、スライド動作の過程で配線が引出本体内に引き込まれた場合に、引出本体を引き出す時に切欠部に配線が引っかかり、また引出本体を閉める時には切欠部から配線がスムーズに外部に導き出されず引出本体内に配線が存在したままとなる可能性があり、スライドを妨げる可能性があった。また、配線が引出の下方に位置する着座者の脚の辺りに撓んで、その配線が当たって着座者に不快感を与えてしまうという不具合があった。
【０００４】
一方、かかる不具合を解決するために、配線として伸縮が可能なカールコードを用いたり、リールの機能を有する部材や機構を用いて、撓んだ配線を巻き取らせることによって、配線をスライド部材に挟まらないようにするとともに引出内に引きこまれないようにし、さらに足元を邪魔しないようにすることが考えられるが、カールコードは、高価なものになってしまう。また、リール機能を有する部材や機構を採用すると高価であるとともに、配線を曲げ過ぎないようにリールの巻取りを大きくすると、その結果部材や機構自体が大きくなってしまうという不具合があった。
【０００５】
そこで、このような不具合を解決するために、コンセントなどの配線具を取り付けられるように引出本体に配線具取付部を備えた引出を設けた家具であって、簡素な構成で円滑に引出本体をスライドできるようにした引出家具を提供する。
【０００６】
【課題を解決するための手段】
すなわち、本発明は、引出本体と、この引出本体をスライドさせるスライド部材を介して引出本体を支持する支持部材とを備え、引出本体に配線を備えた配線具を取り付けるための配線具取付部および当該配線具から延びる配線を外部へ導き出すための切欠溝や孔部などの切欠部を設けてなる引出家具であって、この切欠部に隣接する位置などの外部位置に、引出本体のスライドに伴なう前記切欠部の移動範囲に相当する長さの孔部や空間などの開口部を設けるとともに、切欠部から導き出された配線を少なくとも引出本体をスライド可能な長さ分保持する配線保持部とを設けたものである。
【０００７】
このように構成したので、切欠部から導き出した配線を、開口部を通して配線保持部へ保持させるようにして、引出本体をスライドさせる際に、配線を引出のスライド部材に挟みこませないようすることができる。くわえて、配線を引出本体内に引き込まれないようすることができ、すなわち、円滑に引出本体をスライドさせることができるようになる。
【０００８】
【発明の実施の形態】
以下、本発明の一実施形態を、図面を参照して説明する。図１は、本実施の形態における引出家具たるテーブル１の外観斜視図を示したものであり、図２は、本実施の形態における引出４の分解斜視図を示したものであり、図３は、図２における引出４を分解していない状態における平面図を示したものである。また、図４は、支持部材７の左側面図および右側面図を示したものであり、図５は、支持部材８の左側面図および右側面図を示したものである。
【０００９】
図１に示す引出家具たるテーブル１は、会議などにおいて複数人の使用を前提に、天板２と、この天板２を支持する脚部３と、天板２の下方に設けられた複数の引出４を備えたものである。
【００１０】
天板２は、複数たとえば4人ないし8人の着座者が、それぞれノート型パーソナルコンピュータＰ（以下ノート型パソコンと略す）などのＯＡ機器類を使用することができるような大きさ、および強度に構成し、通常着座者が作業できる程度の高さに設けたものである。
【００１１】
脚部３は、天板が着座者の大腿部に当たらないような高さに設定して、天板２を支持するものである。また、脚部３間に補強部材３０を設けて脚部３を補強している。
【００１２】
そして、このように構成したテーブル１に、本実施の形態では、引出本体５と、この引出本体５をスライド部材６を介してスライド可能に支持する左右の支持部材７、８とから構成した引出４を設けている。さらに、引出本体５に、配線Ｄ１を有する電源コンセントＤを取り付けるための電源コンセント取付部９と、この電源コンセント取付部９に取り付けた電源コンセントＤを保護するカバー１０と、配線Ｄ１を引出本体５の外部に導き出すための切欠部たる切欠溝１１とを設けている。また、支持部材７に、この切欠溝１１を通して外部へ導いた配線Ｄ１を少なくとも引出本体５をスライド可能にさせる長さ以上保持させた配線保持部１２と、引出本体５のスライド移動による切欠溝１１の移動範囲に対応するような長さに開口させた長孔１３とを設けている。また、配線保持部１２を設けた支持部材７と反対側に位置する支持部材８に、情報コンセント取付部１４を設けている。
【００１３】
以下、各構成について詳述する。
【００１４】
引出本体５は、左右に起立する側壁部５０、５１と、この側壁部５０、５１の前後に連続して設けた前壁部５２および前壁部５３と、これらの側壁部５０、５１、前壁部５２、前壁部５３に囲まれた底面部５４とからなる上端を開口した箱状のもので、その内部に収納空間Ｓ１を設けたものである。そして、この収納空間Ｓ１を、少なくとも電源コンセント取付部９やノート型パソコンＰの図示しないＡＣアダプタを収納することができ、また着座者がこのＡＣアダプタや電源プラグなどを電源コンセント取付部９に取り付けた電源コンセントＤに差し込むことができるような大きさに設定している。また、前壁部５２の中央部分から所定範囲を側壁部５０、５１より低く設けて隙間Ｎを設け、この隙間Ｎから引出４を閉めた状態でノート型パソコンＰの電源コードＰ１を通せるようにしている。
【００１５】
スライド部材６は、引出本体５の側壁部５０、５１に設けた前後に伸びるスライド片６０と、支持部材７の側壁部７１および支持部材８の側壁部８０設けたスライドレール６１とから構成したものである。
【００１６】
左右の支持部材７、８のうち使用端側から見て左に位置する支持部材７は、その前後の長さを引出本体５の前後の長さと同じに設定した左右の側壁部７０、７１と、上下幅を引出本体と同じに設定した前壁部７２、そして底面７３０を形成する底壁部７３および頂壁部７４とからなる後方を開口させた中空の箱状に形成したものである。また、使用端側から見て右に位置する支持部材８も外観上ほぼ同様の形状に構成したもので、左右の側壁部８０、８１と、前壁部８２、そして底面８３０を形成する底壁部８３および頂壁部８４とから構成したものである。
【００１７】
電源コンセントＤは、配線Ｄ１と、コンセント差込面Ｄ２とを有するもので、後述する電源コンセント取付部９に取り付けられるように、コンセント差込面Ｄ２とその反対面との間にくびれ部をＤ３設けたものである。
【００１８】
電源コンセント取付部９は、弾性を有する合成樹脂などによって対向する２つの側面視略台形の起立壁９１と、この起立壁９１の間に直交させて設けた取付面９２を有する起立壁９３（図３）とによって平面視略コの字状に形成した２つの取付部材９０を、取付面９１を対向させるように設け、この対向する取付面９１の間に挟み込むように電源コンセントＤを取り付けるようにしたものである。具体的には、取付面９２を形成する起立壁９３の上部に、対向する取付面９１側に突出する傾斜面９４０を備えた爪部９４を設け、その先端部側を自由端として、電源コンセントＤのくびれ部Ｄ３を爪部の傾斜面９４０に上部から押し当てて、二つの対向する爪部９４の間隔を広げるようにして嵌め、弾性力で元の位置に戻った爪部９４の下端面部分でくびれ部Ｄ３を押し付けて固定するようにしたものである。さらに、この電源コンセント取付部９を、引出本体５の底面部５４上の側壁部５０近傍前面側に設け、着座者が着座した状態で引出本体５を開けて、そのまま手を入れて電源コンセントＤに電源プラグを差し込むことができるようにして使い勝手を向上させている。なお、電源コンセント取付部としては、電源コンセントＤを着脱可能に取り付けられるものであるとともに引出本体５内に収納可能なものであれば、本実施の形態の形状に限らない。
【００１９】
カバー１０は、スライド方向に沿った起立部１００を略垂直に折り曲げて上面部１０１を設けて正面視略Ｌ字に形成した薄板状のもので、電源コンセント取付部９の上方部分および側面部分を引出本体５の前壁部５２から後壁部５３に渡って覆うようにしたものであり、適宜の手段で着脱可能に構成したものである。さらに、起立部１００に開口１０２を設けて電源コンセント取付部９に取り付けた電源コンセントＤのコンセント面Ｄ２を引出本体５の内側向きに突出させるようにし、パーソナルコンピュータの電源プラグやＡＣアダプタなどを差し込んだ際にその配線コードがなめらかに曲がるようにしている。
【００２０】
切欠溝１１は、引出本体５の側壁部５０の奥方に設けたもので、電源コンセントＤの配線Ｄ１を引出本体５の外部に導き出すためのものである。
【００２１】
配線保持部１２は、支持部材７の内部空間Ｓ２を利用して、切欠溝１１から導き出した配線Ｄ１を支持部材７の底面部７３０上に保持させるようにしたもので、さらに、この配線保持部１２内に保持する配線Ｄ１部分を引出本体５をスライド可能にする長さ以上になるように配線Ｄ１の所定の位置を、適宜の手段によって固定する配線固定部１２０を支持部材７の底面部７３０の後端近傍に設けたものである。
【００２２】
長孔１３は、支持部材７に設けたスライドレール６の下方に、引出本体５のスライド方向すなわちスライドレール６と平行に、かつ前後の長さを引出本体５のスライドに伴う切欠溝１１の移動範囲と略一致もしくは若干長く設けたもので、移動していく切欠溝１１から導き出された電源コンセントＤの配線Ｄ１をこの長孔１３を通して支持部材７の内部に位置する配線保持部１２へ保持させるようにしたものである。
【００２３】
情報コンセント取付部１４は、配線保持部１２を設けた支持部材７と反対側に位置する支持部材８の内部空間Ｓ３を利用して、底面部８３０上の使用端近傍に情報コンセントＪを取り付けるようにしたもので、前壁部８２に開口８２０を設け、この開口８２０から情報コンセントＪの差込口Ｊ２にモジュラジャックＭを差し込むことができるようにしたものである。また、この開口８２０の上方に上向きに回転して開くように構成した窓部８２１を備えて、モジュラジャックＭを差し込んでいない場合に、この窓部８２１を閉めて差込口Ｊ２に埃が入るのを防ぐようにしている。また、情報コンセントＪの配線Ｊ１を底面部８３上を後端部の開口へ向けて伸ばすようにし、歪曲に弱い配線Ｊ１を曲げないように設置している。このように電源コンセントＤの配線Ｄ１を保持する配線保持部１２と反対側に情報コンセント取付部１４を設けて、電源コンセントＤの配線Ｄ１と、情報コンセントＪの配線Ｊ１とが交わらないようにして、ノイズが生じるのを防いでいる。
【００２４】
以上のように構成した引出４の引出本体５内に設けた電源コンセント取付部９に電源コンセントＤを取り付けた状態で、引出本体５をスライドさせた場合の配線Ｄ１の状態について図６を参照して述べる。
【００２５】
まず、引出本体５を閉めた状態である閉止位置（ａ）から引出本体５を最も引き出した引き出し位置（ｂ）までスライドさせた場合について述べる。
【００２６】
閉止位置（ａ）において電源コンセントＤの配線Ｄ１は、配線保持部１２内に撓んだ状態で保持されており、配線Ｄ１の長孔１３との接触点Ｔは、長孔１３の最も奥方のＡ点に位置している。引出本体５をスライドさせると、これに伴う切欠溝１１の前方（使用端側）への移動によって、配線Ｄ１は、引っ張られるように、その撓み部分を伸ばしていく。この際、配線Ｄ１は電源コンセントＤから切欠溝１１までの長さを一定に保ちながら、長孔１３との接触点Ｔを閉止位置（ａ）におけるＡ地点から引き出し位置（ｂ）での接触点Ｔの位置であるＡ’地点まで長孔１３に沿って前方へ移動させて撓みを伸ばしていく。すなわち、配線保持部９から切欠溝１３の間で配線Ｄ１を引っかからせることなくスムーズに引出本体５を引き出していくことができる。
【００２７】
次に、引出本体５を引き出し位置（ｂ）から、閉止位置（ａ）まで、スライドさせた場合についてのべる。
【００２８】
引出本体５のスライド移動に伴なって切欠溝１１が後方（反使用端側）へ移動し、それに伴いこの切欠溝１１から導き出されている配線Ｄ１は、長孔１３との接触点Ｔを、Ａ‘地点から、Ａ地点まで移動させながら撓んでいく。この際、接触点Ｔと電源コンセントＤとの間の配線Ｄ１の長さを略一定に保ちながら、配線Ｄ１が引出本体５内側に引き込まれることなく隣接する長孔１３を通って、配線保持部１２内に撓んでいく。さらに、長孔１３を切欠溝１１に隣接させて設けているので、この部分に配線Ｄ１の撓みを生じてスライド部材６に挟まれるようなことはほとんどない。また、配線Ｄ１は、配線保持部１２を構成する支持部材７の側壁部７０、７１、前壁部７２、頂壁部７３、底壁部７４に外側に出ないように規制されながら引出本体５のスライドに伴って撓んでいく。すなわち、引出本体５を閉める際も、スライド部材６に挟まれることなくスムーズにスライドさせることができる。このように、引出本体５を開ける場合においても閉める場合においても、円滑にスライド移動させることができる。
【００２９】
以上詳述したように、本実施の形態における引出４は、引出本体５の側壁部５０に電源コンセントＤの配線Ｄ１を引出本体５の外部へ導き出すための切欠溝１１を設けるとともに、この切欠溝１１から導き出された配線Ｄ１の少なくとも引出本体をスライド可能な長さ分を保持する配線保持部１２を設けて、切欠溝１１と配線保持部１２との間に、引出本体５のスライドに伴なう切欠溝１１の移動範囲に相当する長さの長孔１３を切欠溝１１に隣接させて設けたので、切欠溝１１から導き出した配線Ｄ１を、隣接する長孔１３を通して配線保持部１２へ保持させるようにすることによって、引出本体５をスライドさせた際に引出４のスライド部材６に挟みこまれることを防ぎ、さらに、配線Ｄ１が配線保持部１２への入口部分にひっかかることや引出本体５内に引き込まれることを防いで、円滑に引出本体５をスライドさせることができる。
【００３０】
また、配線保持部１２を引出本体５の側方に位置する支持部材７に設けたので、引出本体５の上方や奥方や下方に配線保持部１２を設けた場合と比較して、天板２と引出４との隙間をなくすことができ、すなわち、引出本体５の下方に位置する着座空間を大きく確保することができる。
【００３１】
また、支持部材７を、側壁部７０、７１、前壁部７２，底壁部７３、頂壁部７４で囲まれた中空の箱状に構成し、配線保持部１２を支持部材７の底面部７３ａに設けるとともに、開口たる長孔１３を支持部材７の側壁部７１に設けたので、支持部材７と配線保持部１２とを兼ねさせて部品点数を少なくすることができる。さらに、側壁部７０、７１、前壁部７２，底壁部７３、頂壁部７４で配線Ｄ１の引出本体５のスライドに伴う撓み部分を規制して、スライド部材６へ挟みこまれることをより一層防ぐことができる。
【００３２】
また、情報コンセントＪを取り付けるための情報コンセント取付部１４を、電源コンセントＤの配線Ｄ１を保持させる配線保持部１２を設けた支持部材７と反対側の支持部材８に設けたので、電源コンセントの配線Ｄ１と情報コンセントＪの配線Ｊ１とが接触してノイズを生じるのを防ぐことができる。
【００３３】
また、電源コンセント取付部９を、引出本体５内の側部近傍の前方側に設けたので、着座者が着座したまま引出本体５を開けて、天板２上に載せたパーソナルコンピュータの電源プラグなどをコンセント面Ｄ２に差し込むことができる。
【００３４】
本発明は、上記実施形態に限られるものではない。
【００３５】
たとえば、本実施の形態では、配線保持部１２を支持部材７と兼ねるように構成し、部品点数を少なくしているが、配線保持部１２を、別体に設けた板状や樋状のものに構成して、開口部を配線保持部の上部に位置する開放空間として、その開放空間から配線Ｄ１を保持させるようにしたものでももよい。また、開口部を備えた箱状の配線保持部を別体に設けたものでもよい。
【００３６】
その他、各部の具体的構成についても本発明の趣旨を逸脱しない範囲で種々変形が可能である。
【００３７】
【発明の効果】
すなわち、本発明は、引出本体と、この引出本体をスライドさせるスライド部材を介して引出本体を支持する支持部材とを備え、引出本体に配線を備えた配線具を取り付けるための配線具取付部および当該配線具から延びる配線を外部へ導き出すための切欠溝や孔部などの切欠部を設けてなる引出家具であって、この切欠部に隣接する位置などの外部位置に、引出本体のスライドに伴なう前記切欠部の移動範囲に相当する長さの孔部や空間などの開口部を設けるとともに、切欠部から導き出された配線を少なくとも引出本体をスライド可能な長さ分保持する配線保持部とを設けたので、配線がスライド部材に挟みこまれることを防ぎ、また配線をスムーズに切欠部から導き出されるようにして、円滑に引出本体をスライドさせることができる。
【図面の簡単な説明】
【図１】本実施の形態における引出を採用したテーブルの外観斜視図。
【図２】同実施の形態における引出の分解斜視図。
【図３】同実施の形態における引出の平面図。
【図４】同実施の形態における一方の支持部材の左側面図、右側面図。
【図５】同実施の形態における他方の支持部材の左側面図、右側面図
【図６】同実施の形態における引出本体のスライド状態を示す図。
【符号の説明】
１…テーブル
４…引出
５…引出本体
６…スライド部材
７…支持部材
８…支持部材
９…電源コンセント取付部
１１…切欠部（切欠溝）
１２…配線保持部
１３…長孔
１４…情報コンセント取付部
Ｄ…電源コンセント
Ｊ…情報コンセント
Ｄ１…配線
【図１】
0004789375.tif 000002
【図２】
0004789375.tif 000003
【図３】
0004789375.tif 000004
【図４】
0004789375.tif 000005
【図５】
0004789375.tif 000006
【図６】
0004789375.tif 000007